(57)【要約】      （修正有）【課題】腹巻に機能性・デザイン性を加味し、且つ使い捨てカイロを入れて腰部に着けることにより、経絡の詰り（＝気の詰り）が起こりやすくなった部位（四か所）を温め、病にならないよう予防するポケット付腹巻型ヒップウォーマーを提供する。【解決手段】伸縮性のある素材、吸湿発熱繊維またはキュプラとナイロンを複合した糸で織られた吸放湿性、吸水性に優れている機能性インナー素材を二重の筒状に製作し、下腹部・臀部・股関節部にあたる部分にポケットを作り、その中に使い捨てカイロを入れて温めることができることを特徴とする。【選択図】図１
0003197562.tif 000002
【実用新案登録請求の範囲】
【請求項１】
ポケット付腹巻型ヒップウォーマー
【請求項２】
臍から下の腰回り前面（石門）１、後面（白環兪）２、左右側面（環跳）３にあたる四か所にポケットを作り、使い捨てカイロ小を入れ装着する。
【請求項３】
0003197562.tif 000003
三焦の流れが止まらないように改善する。
【請求項４】
伸縮性のある生地（ユニクロのヒートテックやエアリズムの素材）を筒状に製作する。
筒状の生地を二重にして、ポケットに当たる部分を［図２］の通り縫う。
【請求項５】
スカートやパンツの上から着て多少表に見えてもアウターの一部とみなされるようにするため、柄は、夏はマドラスチェック、冬はタータンチェックで各数種類製作する。また充分温まった場合は、周りを気にせず脱着できる様にデザイン（素材・色・柄）を重視する。
【考案の詳細な説明】
【技術分野】
【０００１】本考案は、東洋医学における経絡のつまりやすい部位にこのポケット付腹巻型ヒップウォーマーのポケット四か所にホッカイロを入れて装着すことにより未病を治すことを目的とし、かつ機能性・デザイン性の高いポケット付腹巻型ヒップウォーマーに関するものです。
【背景技術】
【０００２】腹巻は腹部を保温することで腸の働きを活性化する目的で使用されますが、既存の腹巻は綿、ナイロン、毛等の繊維を筒状に編み上げて構成されているものが一般的です。また厚めの編み地になっているものも多く、腹巻をしてその上に衣類を着る場合は窮屈な状態となります。特に女性にはシルエットを気にする向きもあり、既存の腹巻では満足できないところがあると考えられます。【０００３】東洋医学には、人は生まれて半年くらいまでは、四つ足でハイハイの状態で病気になりにくいが、つかまり立ちするころからお尻がでて、立ち上がって二足歩行になることによって経絡のつまり（＝気のつまり）が起こりやすくなる部位が現れ、このため人間は本来の状態と違い、病を生じやすくなったという考えがあります。
【先行技術文献】
【特許文献】
【０００４】
【特許文献１】特開平８−１１３８０２号公報
【特許文献２】登録実用新案第３０９９５９０号［特許文献］
【非特許文献】
【０００５】
【非特許文献１】柴崎保三著  鍼灸医学大系〈２５〉黄帝内経素問・霊枢（１９８４年）
【非特許文献２】柴崎保三著  未病を治す医学  教科書篇・柴崎保三論文集（１９８６年）
【非特許文献３】古米弘幸著  未病を治す医学  その１、その２、その３（２００９年）
【非特許文献４】古米弘幸著  三焦とは  その１、その２（２０１２年）
【考案の概要】
【考案が解決しようとする課題】
【０００６】本考案は、従来の腹巻に機能性・デザイン性を加味し、且つこのポケット付腹巻型ヒップウォーマーに使い捨てカイロを入れて腰部に着けることにより、経絡の詰り（＝気の詰り）が起こりやすくなった部位（四か所）を温め、病にならないよう予防することを目的とします。【０００７】解決しようとする課題は、使い捨てカイロを使用するため、低温やけどにならない。充分に温まった場合、簡単に脱着できる。主な対象が女性なので、シルエットがきたなくならない。またスカートやパンツの上から装着でき、少しはみ出したとしてもアウターの一部のように見えるデザイン（素材・色・柄）が必要です。
【課題を解決するための手段】
【０００８】低温やけどにならないようにするため、直接肌に着けないで、スカートやパンツの上から着けられる。多少はみ出してもアウターの一部に見えるようなデザイン（素材・色・柄）。伸縮性がありポケットの入り口部分がほつれない素材、具体的には、ユニクロの冬はヒートテック様、夏はエアリズム様素材で、柄は夏はマドラスチェック、冬はタータンチェックで各数種類製作する。
【考案の効果】
【０００９】上記の課題を解決するための手段により、機能性とデザイン性を重視した製作し、年齢・男女・季節を問わず、未病を治すための治療的効果を得ることができます。
【図面の簡単な説明】
【００１０】
【図１】本考案ポケット付腹巻型ヒップウォーマーの実施例を示す立面図である。
【図２】本考案ポケット付腹巻型ヒップウォーマーの実施例を示す正面図である。
【図３】経絡の詰り（＝気の詰り）が起こりやすくなった部位（四か所）を示す図−１である。
【図４】経絡の詰り（＝気の詰り）が起こりやすくなった部位（四か所）を示す図−２である。
【図５】経絡の詰り（＝気の詰り）が起こりやすくなった部位（四か所）を示す図−３である。
【考案を実施するための形態】
【００１１】低温やけどにならないようにするため、直接肌に着けないで、スカートやパンツの上から着けられる。多少はみ出してもアウターの一部に見えるようなデザイン（素材・色・柄）。伸縮性がありポケットの入り口部分がほつれない素材、具体的には、ユニクロの冬はヒートテック様、夏はエアリズム様素材で、柄は夏はマドラスチェック、冬はタータンチェックで各数種類製作する。
【実施例】
【００１２】筒状の布（縦４２センチ）表裏にし、上部は１０センチ折り返し、輪にして上から９センチのところを縫う。下部は、下から１．５センチを折り返し、輪にして下から１センチのところを縫う。下部を１１．５センチ折り返し、輪にして上部の縫い目が隠れるようにかぶせる。図２の点線の通り縫う。図は前、後も同じ様に縫う。前後がわかるように、前部分「Ｆ」（Ｆｒｏｎｔ）マークを入れる。ポケットは、前後・横とも上部を開ける。ＭとＬサイズを作製する。サイズは以下とする。
Ｗ：Ｍサイズ→３７センチ      Ｌサイズ→３８．５センチ
Ｈ：Ｍサイズ→１９センチ      Ｌサイズ→１９センチ
ポケット：前後：  縦９センチ×横１１センチ、横：  縦１１センチ×横９センチ
【符号の説明】
【００１３】Ｗ  横幅
Ｈ  縦幅
１  石門→神厥＝斉（へそ）の下２寸
２  白環兪→正中仙骨稜第４仙椎棘突起部の下外方１寸５分、仙骨裂孔の外１寸５分
３  環跳→側臥して股関節を深く屈し、股関節横紋の外端、大転子の前上方陥凹部
【図１】
0003197562.tif 000004
【図２】
0003197562.tif 000005
【図３】
0003197562.tif 000006
【図４】
0003197562.tif 000007
【図５】
0003197562.tif 000008
【手続補正書】
【提出日】平成27年3月9日(2015.3.9)
【手続補正１】
【補正対象書類名】実用新案登録請求の範囲
【補正対象項目名】全文
【補正方法】変更
【補正の内容】
【実用新案登録請求の範囲】
【請求項１】
伸縮性のある素材、吸湿発熱繊維またはキュプラとナイロンを複合した糸で織られた吸放湿性、吸水性に優れている機能性インナー素材を二重の筒状に製作し、下腹部・臀部・股関節部にあたる部分にポケット作り、その中に使い捨てカイロを入れて温めることができるポケット付腹巻型ヒップウォーマー。
【請求項２】
臍から下の腰回り前面にある石門という経穴、後面にある白環兪という経穴、左右側面にある環跳という経穴にあたる部分四か所にポケットを作り、使い捨てカイロを入れ装着するポケット付腹巻型ヒップウォーマー。
【請求項３】
請求項１に記載のポケット付腹巻型ヒップウォーマーは、伸縮性のある素材、吸湿発熱繊維またはキュプラとナイロンを複合した糸で織られた吸放湿性、吸水性に優れている機能性インナー素材を筒状に縫製し、表裏にして、上部は１０センチ折り返し、輪にして上から９センチのところを縫い、下部は下から１．５センチを折り返し、輪にして下から１センチのところを縫い、下部を１１．５センチ折り返し、輪にして上部の縫い目が隠れるようにかぶせ、ポケットの上部は開け、前面・後面は縦９センチ・横１１センチ、左右側面は縦１１センチ、横９センチになる様に縫い、前後がわかるように、前部にＦ（フロント）マークを入たことを特徴とするポケット付腹巻型ヒップウォーマー。
【請求項４】
請求項１に記載のポケット付腹巻型ヒップウォーマーは、スカートやパンツの上から着て多少表に見えてもアウターの一部とみなされるようにするため、柄はタータンチェックまたはマドラスチェックであることを特徴とするポケット付腹巻型ヒップウォーマー。